(57)【要約】【課題】エアコンプレッサ上に簡単に補助タンクを搭載できる補助タンク取付け装置を提供する。【解決手段】金属棒材を、上部の水平バー部22と、その左右に連続する脚部23と、脚部の下端のフック部24とからなる形状に成形して補助タンク取付け装置21とする。エアコンプレッサ1の前後側面或いは左右側面に装着されている一対のハンドルフレーム5の上部横バー8に夫々補助タンク取付け装置の脚部の中間部位を掛け、フック部をハンドルフレームの下方の横バー9に係合させて装着し、上部の水平バー部に補助タンク11の脚部12, 13を載せて補助タンクを支持する。既存の補助タンクをそのまま簡単にエアコンプレッサに搭載することができ、補助タンクの設置スペースを削減できる。【選択図】図2
2006220102.tif 000002
【特許請求の範囲】
【請求項１】
エアコンプレッサ上に補助タンクを搭載するための補助タンク取付け装置であって、上部の水平バー部と、その左右に連続する脚部と、脚部の下端に形成したフック部とを備えた１組のブラケット部材として設けられ、エアコンプレッサの前後側面或いは左右側面に装着されている一対のハンドルフレームの上部横バーの夫々に補助タンク取付け装置の各々の脚部の中間部位を掛け、前記フック部を前記ハンドルフレームの縦バー或いは下方の横バーに係合させ、上部の水平バー部に補助タンクの脚部を載せて補助タンクを支持するように形成したエアコンプレッサの補助タンク取付け装置。
【請求項２】
上記補助タンク取付け装置の脚部は、上下方向の中間部で折曲しており、補助タンク搭載時に補助タンクの自重によって前記フック部が前記ハンドルフレームの縦バー或いは下方の横バーへ圧接するように形成した請求項１記載のエアコンプレッサの補助タンク取付け装置。
【請求項３】
上記補助タンク取付け装置の水平バー部にV型断面の補助タンク支持プレートを取付け、前記補助タンクの脚部に設けた水平連結バーを前記補助タンク支持プレートの前記V型断面の内部へ係合させて補助タンクを支持するように形成した請求項１記載のエアコンプレッサの補助タンク取付け装置。
【発明の詳細な説明】
【技術分野】
【０００１】
この発明は、エアコンプレッサの補助タンク取付け装置に関するものであり、特に、エアコンプレッサへ補助タンクを簡単に着脱できるようにしたエアコンプレッサの補助タンク取付け装置に関するものである。
【背景技術】
【０００２】
空圧工具を連続して使用する際などにおいて、エアコンプレッサ付属のエアタンクのみではタンク容量が不足する場合があるが、このような場合はエアコンプレッサのエアタンクに別体の補助タンクをホース接続することにより、タンク容量不足を解消できる。しかし、エアコンプレッサとは別体の補助タンクが設置スペースをとり、スペースに余裕がない作業現場では補助タンクが邪魔になることがある。また、エアタンクと補助タンクとを接続するホースの引き回しも煩雑になる。
【０００３】
補助タンクの占有スペースを削減する提案としては、櫓形の架台上に補助タンクを取付け、この架台の下部空間にエアコンプレッサを置くようにして、エアコンプレッサ単体と殆ど変わらない平面スペースにエアコンプレッサと補助タンクを重ねて設置できるようにした技術が公開されている（特許文献１，２）。
【特許文献１】特開2000-249072号公報
【特許文献２】特開2000-249073号公報
【発明の開示】
【発明が解決しようとする課題】
【０００４】
架台上に補助タンクを搭載した補助タンクユニットは、エアコンプレッサと補助タンクの平面占有スペースを削減できるが、架台と補助タンクを一体化したことにより補助タンク単体よりも嵩張り、車両による搬送時に荷室のスペースをとったり、移動や運搬に手間がかかったりするという問題もある。
【０００５】
そこで、補助タンクをエアコンプレッサとともに使用する際や運搬する際にスペースをとらず、且つ簡単にエアコンプレッサと組合わせて使用できるようにするために解決すべき技術的課題が生じてくるのであり、本発明は上記課題を解決することを目的とする。
【課題を解決するための手段】
【０００６】
この発明は、上記目的を達成するために提案するものであり、エアコンプレッサ上に補助タンクを搭載するための補助タンク取付け装置であって、上部の水平バー部と、その左右に連続する脚部と、脚部の下端に形成したフック部とを備えた１組のブラケット部材として設けられ、エアコンプレッサの前後側面或いは左右側面に装着されている一対のハンドルフレームの上部横バーの夫々に補助タンク取付け装置の各々の脚部の中間部位を掛け、前記フック部を前記ハンドルフレームの縦バー或いは下方の横バーに係合させ、上部の水平バー部に補助タンクの脚部を載せて補助タンクを支持するように形成したエアコンプレッサの補助タンク取付け装置を提供するものである。
【０００７】
また、上記補助タンク取付け装置の脚部は、上下方向の中間部で折曲しており、補助タンク搭載時に補助タンクの自重によって前記フック部が前記ハンドルフレームの縦バー或いは下方の横バーへ圧接するように形成したエアコンプレッサの補助タンク取付け装置を提供するものである。
【０００８】
また、上記補助タンク取付け装置の水平バー部にV型断面の補助タンク支持プレートを取付け、前記補助タンクの脚部に設けた水平連結バーを前記補助タンク支持プレートの前記V型断面の内部へ係合させて補助タンクを支持するように形成したエアコンプレッサの補助タンク取付け装置を提供するものである。
【発明の効果】
【０００９】
本発明のエアコンプレッサの補助タンク取付け装置は、既存のエアコンプレッサに取付けて補助タンクを搭載できるので、補助タンクの為の新たな設置スペースをとることがなく、また既存の補助タンクをそのまま使用することができる。また、取付けにあたって工具は不要であり、手で簡単に着脱でき、補助タンクをエアコンプレッサに取付けた状態であっても作業性や可搬性に優れているとともに、１組のブラケットとして設けられていることから、補助タンクとエアコンプレッサとを分離している状態にあっては、極めてコンパクトな形態とすることができ、低コストで提供することができる。
【発明を実施するための最良の形態】
【００１０】
この発明の補助タンク取付け装置は、エアコンプレッサ上に補助タンクを搭載するための補助タンク取付け装置であって、上部の水平バー部と、その左右に連続する脚部と、脚部の下端に形成したフック部とを備えた１組のブラケット部材として設けられ、エアコンプレッサの前後側面或いは左右側面に装着されている一対のハンドルフレームの上部横バーの夫々に補助タンク取付け装置の各々の脚部の中間部位を掛け、前記フック部を前記ハンドルフレームの縦バー或いは下方の横バーに係合させ、上部の水平バー部に補助タンクの脚部を載せて補助タンクを支持するように形成することにより、補助タンクをエアコンプレッサとともに使用する際や運搬する際にスペースをとらず、且つ簡単にエアコンプレッサと組合わせて使用できるようにするという目的を達成した。
【実施例１】
【００１１】
図1は、エアコンプレッサ1に本発明の補助タンク取付け装置21を介して補助タンク11を搭載した状態の三面図であり、図2は図1(b)の拡大図である。エアコンプレッサ1のコンプレッサ部2は樹脂製のコンプレッサカバー3で覆われていて、コンプレッサ部2の下部に二本のエアタンク4が略平行に配置されており、前面と背面（図1(b)と図2において左右の側面）にハンドルフレーム5が取付けられている。
【００１２】
ハンドルフレーム5は、左右の縦バー6の下部間にパネル部7を架設し、上端部と上下中間部を夫々水平な上部横バー8と中間横バー9とで連結した矩形部材であり、前後の上部横バー8を両手で握ってエアコンプレッサ1を持ち上げられるようにしている。前後のハンドルフレーム5には、夫々、1組のブラケット部材として設けられた金属棒材の補助タンク取付け装置21が係止されていて、前後一対の補助タンク取付け装置21の上端に補助タンク11の脚部12を載せて補助タンクを支持している。
【００１３】
図3は、補助タンク取付け装置21を示し、水平バー部22と左右の脚部23とからなる門型のアーム部品であり、左右の脚部23の下部に略コ字型を成すフック部24が形成されており、図3 (b)に示すように側面からみて上部はフック部24の開口側とは反対方向へ斜めに折曲している。左右の脚部23の上部を連結する水平バー部22には、Ｖ型断面で水平バー部の全幅に亘る長さの補助タンク支持プレート25が溶接されていて、補助タンク11の脚部12を補助タンク支持プレート25のＶ溝内に載せるように形成されている。
【００１４】
図4は補助タンク取付け装置21をエアコンプレッサ1へ取付ける手順を示し、図2において紙面右手側のハンドルフレーム5に補助タンク取付け装置21を取付ける手順を示している。先ず、補助タンク取付け装置21の下部を上方からハンドルフレーム5とコンプレッサカバー（図示せず）との間に差し入れ(1)、補助タンク取付け装置21をエアコンプレッサの中央方向へ引き寄せてフック部24をハンドルフレーム5の上部横バー8と中間横バー9との間に挿入する(2)。続いて、補助タンク取付け装置21の上部をエアコンプレッサの外方向へ引起してフック部24をハンドルフレーム5よりもエアコンプレッサの中央側へ位置させ(3)、その状態のまま、補助タンク取付け装置21を下降させてフック部24を中間横バー9に対向させる(4)。その状態から、補助タンク取付け装置21の上部をエアコンプレッサの中央側へ引き落とせば、フック部24が中間横バー9に係合して補助タンク取付け装置21が保持される(5)。図2における紙面左手側のハンドルフレーム5に対しても、図4に示した状態と左右対称になる手順にて補助タンク取付け装置21を取付ける。このようにして、エアコンプレッサ1の前後両面に夫々補助タンク取付け装置21を取付け、前後の補助タンク取付け装置21に補助タンク11の脚部12を載せる。
【００１５】
補助タンクの底面には前後左右に四つの脚部12が設けられていて、図2において左側と右側とで紙面の奥行き方向に位置する脚部12同士が夫々連結バー13で連結されており、この連結バー13が夫々補助タンク取付け装置21のＶ型断面の補助タンク支持プレート25に載って支持される。補助タンク取付け装置21は補助タンク11の重量によって下方へ押さえつけられ、ハンドルフレーム5の上部横バー8を回動支点としてフック部24がエアコンプレッサ1の外側へ回動しようとして中間横バー9へ圧接し、補助タンク11は安定して支持される。
【００１６】
補助タンク取付け装置21は補助タンク11の重量によって幾分撓むので、補助タンク11を搭載したときに左右の補助タンク取付け装置21の補助タンク支持プレート25の間隔が補助タンク11の左右脚部の連結バー13の間隔と一致するように、無荷重の状態では前記の間隔よりもやや広い間隔となるように形成しておくことが好ましい。
【００１７】
また、補助タンク11は補助タンク取付け装置21へ載せたままの状態でもよいが、補助タンク11の落下等の事故を防止するためには、補助タンク11の脚部12の連結バー13と、補助タンク取付け装置21の補助タンク支持プレート25とをクリップや帯状のベルクロファスナー或いは尾錠付結束バンドなどで縛って補助タンク11を固定することが望ましい。
【実施例２】
【００１８】
図5乃至図7は他の実施例を示し、図1の寸胴形補助タンク11に代えて細長い形状の補助タンク14を搭載した例を示している。この場合は、実施例1とは補助タンクの形状及び搭載方向が異なることから、図6に示すように補助タンク取付け装置31の形状も補助タンク14に合わせて変更しているが、基本的構成は同一であって、脚部32の下部に形成した略コ字型のフック部33をエアコンプレッサ1のハンドルフレーム5の中間横バー9に係合させて、補助タンク14を支持するものであり、フック部33と上方の水平バー部34との位置関係などを細長形補助タンク14のゴム足15のピッチや形状に合わせてある。図6(a)の平面図に示すように、水平バー部34の両端は略コ字型に折り曲げられていて、この略コ字型部分で補助タンク14のゴム足15を囲って保持する。
【００１９】
補助タンク取付け装置31をエアコンプレッサ1へ取付ける手順も実施例１と同様であり、図5(b)において右側のハンドルフレーム5に補助タンク取付け装置31を取付ける手順を示している。先ず、補助タンク取付け装置31の下部を上方からハンドルフレーム5とコンプレッサカバー（図示せず）との間に差し入れ(1)、補助タンク取付け装置31をエアコンプレッサの中央方向へ引き寄せてフック部33をハンドルフレーム5の上部横バー8と中間横バー9との間に挿入する(2)。続いて、補助タンク取付け装置31の上部をエアコンプレッサ1の外方向へ引起してフック部33をハンドルフレーム5よりもエアコンプレッサ1の中央側へ位置させ(3)、その状態のまま、補助タンク取付け装置31を下降させてフック部33を中間横バー9に対向させる(4)。その状態から、補助タンク取付け装置31の上部をエアコンプレッサ1の中央側へ引き落とせば、フック部33が中間横バー9に係合して補助タンク取付け装置31が保持される(5)。図5(b)において左側のハンドルフレーム5に対しても、図7に示した状態と左右対称になる手順にて補助タンク取付け装置31を取付ける。このようにして、エアコンプレッサ1の前後両面に夫々補助タンク取付け装置31を取付け、前後の補助タンク取付け装置31のコ型水平バー部34に補助タンク14のゴム足15を係合させて、補助タンクを支持する。
【実施例３】
【００２０】
図8乃至図11は、実施例１，２とは異なるエアコンプレッサ51に補助タンク11を取付けた例を示している。この場合は、先の実施例とはエアコンプレッサ及びハンドルフレームの形状が異なることから、図9に示すように補助タンク取付け装置41の形状もハンドルフレーム52の形状に合わせて、脚部42の下端に形成した略コ字型フック部43をエアコンプレッサのハンドルフレーム52の縦バー54に係合させて、補助タンク11を支持するようにしているが、基本的構成は先の実施例と同一である。
【００２１】
図9 (a)の平面図に示すように、左右の脚部42の下端は外側へ略コ字型に折り曲げられていて、この略コ字型フック部43がハンドルフレーム52の縦バー54に係合する。左右の脚部42の上部を連結する水平バー部44には、Ｖ型断面で水平バー部44の全幅に亘る長さの補助タンク支持プレート45が溶接されていて、補助タンク11の脚部12の連結バー13を補助タンク支持プレートのＶ溝内に載せるように形成されている。
【００２２】
図10乃至図11は、補助タンク取付け装置41をエアコンプレッサ51へ取付ける手順を示し、補助タンク取付け装置41を上下反転した姿勢で保持し、図10(1) (2)に示すように、コンプレッサカバー53側から補助タンク取付け装置41の水平バー部44をハンドルフレーム52の左右縦バー54の間に挿入し、図10(3)及び図11 (4) (5) (6)に示すように、補助タンク取付け装置41の水平バー部44を上方へ持ち上げて、ハンドルフレーム52の上部横バー55を支点として補助タンク取付け装置41を回動させて上下反転させれば、左右脚部42の下端の略コ字型フック部43がハンドルフレーム52の縦バー54に内側から係合し、補助タンク取付け装置41が補助タンク搭載可能な状態に保持される。このようにして、エアコンプレッサ51の前後両面に夫々補助タンク取付け装置41を取付け、左右の補助タンク取付け装置41の水平バー部44に溶接されているＶ型断面の補助タンク支持プレート45に補助タンク11の脚部連結バー13を載せる。
【００２３】
尚、この発明は上記の実施形態に限定するものではなく、この発明の技術的範囲内において種々の改変が可能であり、この発明がそれらの改変されたものに及ぶことは当然である。
【図面の簡単な説明】
【００２４】
【図１】本発明の補助タンク取付け装置を用いて補助タンクを搭載したエアコンプレッサを示し、(a)は平面図、(b)は側面図、(c)は正面図である。
【図２】図1(b)の拡大図。
【図３】補助タンク取付け装置を示し、(a)は平面図、(b)は側面図、(c)は正面図である。
【図４】(1)乃至(5)は、補助タンク取付け装置の取付け手順の工程図である。
【図５】本発明の補助タンク取付け装置を用いて補助タンクを搭載したエアコンプレッサを示し、(a)は平面図、(b)は側面図、(c)は正面図である。
【図６】補助タンク取付け装置を示し、(a)は平面図、(b)は側面図、(c)は正面図である。
【図７】(1)乃至(5)は、補助タンク取付け装置の取付け手順の工程図である。
【図８】本発明の補助タンク取付け装置を用いて補助タンクを搭載したエアコンプレッサを示し、(a)は平面図、(b)は側面図、(c)は正面図である。
【図９】補助タンク取付け装置を示し、(a)は平面図、(b)は側面図、(c)は正面図である。
【図１０】(1)乃至(3)は、補助タンク取付け装置の取付け手順の前半工程図である。
【図１１】(4)乃至(6)は、図10に続く補助タンク取付け装置の取付け手順の後半工程図である。
【符号の説明】
【００２５】
1      エアコンプレッサ
5      ハンドルフレーム
6      縦バー
8      上部横バー
9      中間横バー
11     補助タンク
12     脚部
13     連結バー
14     補助タンク
15     ゴム足
21     補助タンク取付け装置
22     水平バー部
23     脚部
24     フック部
25     補助タンク支持プレート
31     補助タンク取付け装置
32     脚部
33     フック部
34     水平バー部
41     補助タンク取付け装置
42     脚部
43     フック部
44     水平バー部
45     補助タンク支持プレート
51     エアコンプレッサ
52     ハンドルフレーム
53     コンプレッサカバー
54     縦バー
55     上部横バー
【図１】
2006220102.tif 000003
【図２】
2006220102.tif 000004
【図３】
2006220102.tif 000005
【図４】
2006220102.tif 000006
【図５】
2006220102.tif 000007
【図６】
2006220102.tif 000008
【図７】
2006220102.tif 000009
【図８】
2006220102.tif 000010
【図９】
2006220102.tif 000011
【図１０】
2006220102.tif 000012
【図１１】
2006220102.tif 000013